(57)【要約】【課題】構造簡単、組立て容易であって作業能率が向上し、また、輸送の際には減容されて輸送効率が良くなり、更に、土中に埋め込んで使用した場合は、水の流れの障害となる出っ張りがなく、良好な流れを維持できる水路用側壁ユニットを提供する。【解決手段】平行に敷設される複数本の枕部材１と、前記複数本の枕部材１の上面両側に該各枕部材１と交差するようにして複数本の横木２ａ，２ｂを水平に積み重ねることにより立設される一対の平行な土留め壁１１，１１と、前記各土留め壁１１の各横木２及び枕部材１に鉛直に串通される固定ボルト８と、前記固定ボルト８に螺合して各横木２及び枕部材１を一体に固定するナット９と、からなり、前記ナット９を緩めた状態では、前記一方の土留め壁１１ａに対して前記他方の土留め壁１１ｂが前記複数本の枕部材１を介して接離自在に移動するようにした。【選択図】  図１
2004197374.tif 000002
【特許請求の範囲】
【請求項１】
平行に敷設される複数本の枕部材と、前記複数本の枕部材の上面両側に該各枕部材と交差するようにして複数本の横木を水平に積み重ねることにより立設される一対の平行な土留め壁と、前記各土留め壁の各横木及び枕部材に鉛直に串通される固定ボルトと、前記固定ボルトに螺合して各横木及び枕部材を一体に固定するナットと、からなり、前記ナットを緩めた状態では、前記一方の土留め壁に対して前記他方の土留め壁が前記複数本の枕部材を介して接離自在に移動するようにしたことを特徴とする水路用側壁ユニット。
【請求項２】
前記各土留め壁における上下に積み重ねられた各横木は、同じ長さに成形されると共にその内の少なくとも一本がその長手方向に沿って位置をずらせて設けられている請求項１記載の水路用側壁ユニット。
【発明の詳細な説明】
【０００１】
【発明の属する技術分野】
本発明は、間伐材を利用して作られる水路用側壁ユニットに関するものである。
【０００２】
【従来の技術】
従来、農業用の水路として、例えば、柱状の底版形成部の両端部付近に支柱部を立設し、その支柱部の外側に木製の角材からなる連結部を設けて正面略Ｕ字形のコンクリートブロックを成形し、このコンクリートブロックを複数個並べ、その隣接するコンクリートブロックの支柱部間を連結するように丸太からなる土留部材をパネル状に積み上げ、その各土留部材と前記連結部とに跨って連結用くさびを打ち込んで固定することにより水路用側壁を組み立て、この水路用側壁を土中に埋め込んで使用するようにしたものがある（例えば、特許文献１参照。）。
【０００３】
【特許文献１】
実用新案登録第３０８９２３１号公報（第１３−１６頁、図１）
【０００４】
【発明が解決しようとする課題】
しかしながら、前記水路用側壁は、正面略Ｕ字形のコンクリートブロックを成形し、また、隣接するコンクリートブロックの各支柱部間を連結する土留部材は、連結部との間に連結用くさびを打ち込むことによって一本づつ固定するなど構造が複雑であって組立てが非常に面倒であることから、組立てに多くの時間が掛かり作業能率が向上しないという課題が有る。また、水路用側壁を組み立てた状態では、その形がそのまま保持されるので、例えば工場から施工現場まで輸送するには嵩張って輸送効率が極めて悪いという課題が有る。更に、土中に埋め込んで使用した場合、前記土留部材を積み上げて成形される土留部の内面に各支柱部がその内側へ出っ張って配置されるので、これらが障害となるばかりかその部分にゴミが溜まるなどして水の良好な流れが阻害されるといった課題もある。
【０００５】
そこで、本発明は上記課題を解決すべくなされたもので、構造が簡単であって組立てが容易であり、組立てに多くの時間が掛からず作業能率が向上し、また、輸送の際には減容されて嵩張らず輸送効率が良くなり、更に、土中に埋め込んで使用した場合は、水の流れの障害となるものがなく、良好な流れを維持できる水路用側壁ユニットを提供することを目的とするものである。
【０００６】
【課題を解決するための手段】
かかる目的を達成するため、本発明に係る水路用側壁ユニットは、平行に敷設される複数本の枕部材と、前記複数本の枕部材の上面両側に該各枕部材と交差するようにして複数本の横木を水平に積み重ねることにより立設される一対の平行な土留め壁と、前記各土留め壁の各横木及び枕部材に鉛直に串通される固定ボルトと、前記固定ボルトに螺合して各横木及び枕部材を一体に固定するナットと、からなり、前記ナットを緩めた状態では、前記一方の土留め壁に対して前記他方の土留め壁が前記複数本の枕部材を介して接離自在に移動するようにした構成からなる。
【０００７】
前記枕部材や横木は、例えば杉や桧の間伐材が利用される。そして、枕部材は角柱状、横木は円柱状にそれぞれ製材される。枕部材の長さ、横木の長さ・直径・本数、土留め壁間の距離などは、埋め込まれる水路の幅や深さによって設定される。
【０００８】
このように、水路用側壁ユニットは、枕部材およびこの上面に積み重ねられる複数本の横木に固定ボルトを串通することにより一体に組立てられるもので、構造が簡単であって組立ても容易である。また、この水路用側壁ユニットは、工場で組立てられて施工現場まではトラック等で運ばれるが、各固定ボルトを緩めた状態では、一方の土留め壁に対して他方の土留め壁が接離自在に移動して折り畳めるので、減容されて嵩張ることがなく輸送効率が極めて良い。更に、土中に埋め込んで使用した場合、土留め壁の内面には水の流れの障害となる出っ張りがないので、ゴミが溜まりにくく水の良好な流れを維持できる。
【０００９】
この場合、前記各土留め壁における上下に積み重ねられた各横木は、同じ長さに成形されると共にその内の少なくとも一本がその長手方向に沿って位置をずらせて設けられていることが好ましい。これにより、隣同士の水路用側壁ユニットの接続部がうまく噛み合うばかりか連結も容易に行なえ、しかも、その接続部の隙間を少なくさせることができる。
【００１０】
【発明の実施の形態】
以下、本発明に係る水路用側壁ユニットの実施の形態を図面と共に説明する。図１は水路用側壁ユニットの斜視図、図２は同一部の拡大断面図である。この水路用側壁ユニットＡは、地面に敷設される枕部材１と、その上面に積み重ねられ後記する土留め壁１１を成形する複数本の横木２と、により大略組み立てられる。前記枕部材１の長さ・断面の大きさや形状、横木２の直径・長さ・本数は、施工される水路の大きさ、深さ、形状によって自由に設定できるようになっている。なお、この水路用側壁ユニットは、農業用の灌漑水路、山道脇の側溝に使用される。
【００１１】
前記枕部材１は木製であって、例えば、縦横６０ｍｍの断面正方形をなし、長さ６４０ｍｍの角柱状に成形され二本用意される。各枕部材１の両端側には、後記する固定ボルト８を串通するための第一ボルト挿通孔３が縦方向に貫設されている。この両第一ボルト挿通孔３，３間の間隔は、後記する水路Ｓの間隔となる。この枕部材１は、コンクリートにより成形するようにしても良く、このようにすれば浮力の関係上、木製のものに比較し水路用側壁ユニットＡを設置した状態がより一層安定する。
【００１２】
前記横木２も木製であって、例えば直径１００ｍｍ、長さ２０００ｍｍの円柱状に成形され、同じ長さのものが片側三本づつ用意される。この場合、積み重ねられる三本の内、上と下に位置する横木２ａは両端側の所定位置に上下に貫通する第二ボルト挿通孔４が設けられ、一端部に同じく上下に貫通する第一連結孔５が設けられている。一方、中間に位置する横木２ｂは前記上下の横木２ａとはその長手方向に沿って位置をずらせて重ねられるようになっており、このため、その分と同じく位置をずらせて前記各第二ボルト挿通孔４と対応する位置に上下に貫通する第三ボルト挿通孔６が設けられる。また、前記中間の横木２ｂにおけるずらす方向の先端部に上下に貫通する第二連結孔７が設けられている。前記両第二ボルト挿通孔４間および両第三ボルト挿通孔６間の距離は、それぞれ後記するように地面に平行に敷設した一対の枕部材１，１間の間隔と同じである。
【００１３】
次に、水路用側壁ユニットＡの組立て手順を説明する。まず、地面に二本の枕部材１，１を所定の間隔離して平行に敷設する。そして、両枕部材１，１の一側上面にこれら枕部材１と直交させ、かつ、各第一ボルト挿通孔３と各第二ボルト挿通孔４とが連通するようにして下の横木２ａを載せる。また、この上面に各第二ボルト挿通孔４と各第三ボルト挿通孔６とが連通するようにして中間の横木２ｂを載せる。この際、中間の横木２ｂは下の横木２ａに対してその長手方向の一側にずれて配置される。更に、中間の横木２ｂの上面には、各第三ボルト挿通孔６と各第二ボルト挿通孔４とが連通するようにして上の横木２ａを載せる。よって、下の横木２ａと上の横木２ａが同じ位置になる。
【００１４】
この状態で、図２に示すように前記各第一乃至第三挿通孔３，４，６に固定ボルト８を串通し、更にナット９を螺締めして固定させる。枕部材１の下面および上の横木２ａの上面には、前記第一ボルト挿通孔３、第二ボルト挿通孔４に対応してそれより径の大きい座ぐり穴１０が同心円状に設けられ、固定ボルト８の頭部８ａやナット９が上の横木２ａの上面や枕部材１の下面から外側へ突出しないようにしている。前記二本の枕部材１，１の他側上面にも、前記と同様にして三本の横木２ａ，２ｂを積み重ね固定ボルト８を串通すると共にナット９締めする。これにより、両枕部材１，１の上面の両側にそれぞれ土留め壁１１が成形される。
【００１５】
前記両土留め壁１１，１１は、その長手方向における一端部と他端部がそれぞれ同じ形状をしている。すなわち、中間の横木２ｂが上下の横木２ａとは少しずれていることから、前記一端部では、中間の横木２ｂの端面と上下の横木２ａとに囲まれる部位に窪んだ差込部１２が成形される。一方、他端部では、上下の横木２ａの端面から突出する中間の横木２ｂにより前記差込部１２に嵌入し得る突出部１３が設けられる。これは、隣接する複数の水路用側壁ユニットＡを順次接続する際に、前記差込部１２に突出部１３を嵌入させるためであり、このとき上下の横木２ａの第一連結孔５と中間の横木２ｂの第２連結孔７とが連通するようになっている。なお、前記上の横木２ａの上面と下の横木２ａの下面にも、前記第一連結孔５に対応させてそれより径の大きい座ぐり穴１４が同心円状に設けられている。
【００１６】
前記各固定ボルト８のナット９を緩めると、図３鎖線に示すように各枕部材１が一方の土留め壁１１ａに対し自在に回動するようになり、これに伴い他方の土留め壁１１ｂも図３鎖線に示すように一方の土留め壁１１ａ側に移動してそれに接する。これにより、両土留め壁１１ａ，１１ｂが折り畳めることになる。また、逆に他方の土留め壁１１ｂを移動させ元の位置に戻すこともできる。
【００１７】
本発明に係る水路用側壁ユニットＡは上記構成からなり、通常は、図１に示すように両枕部材１，１上面の両側に複数本の横木２ａ，２ｂを水平に積み重ね、これに固定ボルト８を串通すると共に該固定ボルト８にナット９を螺合して一体に組み立てられる。この際、各ナット９は緩めておく。そして、工場で組立てられた複数の水路用側壁ユニットＡをトラックに載せ施工現場まで輸送するときは、前記各水路用側壁ユニットＡを図３鎖線に示すように一方の土留め壁１１ａに他方の土留め壁１１ｂを重ね合わせ折り畳んでトラックに載せる。これにより、減容されて嵩張ることがなく輸送効率の向上が図られる。
【００１８】
施工現場では、前記他方の土留め壁１１ｂを元の位置、すなわち一方の土留め壁１１ａから離して各枕部材１と略直交する位置に置き、各ナット９を螺締して各土留め壁１１ａ，１１ｂをしっかりと固定する。このように構成された水路用側壁ユニットＡは、図４に示すように掘られた水路Ｓ内に各枕部材１の上面が水路Ｓの底面と一致するように埋め込まれて使用される。また、隣接する水路用側壁ユニットＡ同士は、図５に示すように先の水路用側壁ユニットＡの後端部から突出する突出部１３を後の水路用側壁ユニットＡの先端部に設けられた差込部１２に嵌入し、上から第一連結孔５と第二連結孔７に連結ボルト１５を串通して、該連結ボルト１５にナット１６を螺締して固定する。なお、図示は省略するが前記連結ボルト１５の替わりに、単に所定の長さのピンを串通するのみとしても良い。
【００１９】
また、水路Ｓが途中で湾曲しているときは、この水路Ｓの湾曲部に合わせて先の水路用側壁ユニットＡに対し後の水路用側壁ユニットＡを曲げてやれば簡単に設置できる。この際、その曲げ動作が行なえるようにするために、両水路用側壁ユニットＡの前記第一連結孔５、第二連結孔７が開設された各横木２ａ，２ｂの付き合わせ端面を、それぞれ前記第一連結孔５、第二連結孔７を中心とする平面円弧状に成形しておく。
【００２０】
前記両土留め壁１１，１１は、外側から土圧が掛かり、内側へ傾く恐れがあることから、図４に示すように上の横木２ａ，２ａ間に略同幅の添え木１７をほぼ水平に差し渡し、その両端部を各上の横木２ａまで達する釘１８を打ち込んで固定しておく。このようにして使用される水路用側壁ユニットＡは、両土留め壁１１，１１の内面に内側に突出する出っ張りがないため、ゴミが溜まりにくく水の良好な流れを維持できる。
【００２１】
なお、本実施の形態にあっては、各土留め壁１１における中間の横木２ｂをその長手方向に沿ってずらせて固定するようにしたが、ずらさずに他の両横木２ａと同じ位置で揃えるようにしても良い。この場合は、隣接する水路用側壁ユニットＡにおける各土留め壁１１の端部同士を突き合せ、上の横木２ａ同士をコ字型の大くぎでつなぎ止めるようにしておく。また、図示は省略するが、水路用側壁ユニットＡを水路Ｓ内に埋め込むときに、その水路用側壁ユニットＡの下面及び両土留め壁１１，１１の外側面を防水マットにより覆うようにしても良い。これにより水路Ｓから水が抜けるのをある程度防ぐことができる。
【００２２】
【発明の効果】
以上述べたように本発明に係る水路用側壁ユニットは、平行に敷設される複数本の枕部材の上面両側にこれら枕部材と交差するようにして複数本の横木を水平に積み重ね、各横木及び枕部材に固定ボルトを鉛直に串通してナット締めした構成からなるので、構造が簡単であって組立ても容易である。また、前記ナットを緩めた状態では、一方の土留め壁に対して他方の土留め壁が複数本の枕部材を介して接離自在に移動して折り畳めることから、輸送の際には減容されて嵩張らず輸送効率が極めて良い。更に、土中に埋め込んで使用した場合、各土留め壁の内面に水の流れの障害となる出っ張りがないので、ゴミが溜まりにくく良好な流れを維持できるという効果が有る。
【００２３】
前記各土留め壁における上下に積み重ねられた各横木は、同じ長さに成形されると共にその内の少なくとも一本がその長手方向に沿って位置をずらせて設けられるようにすれば、隣同士の水路用側壁ユニットの接続部がうまく噛み合い、接続部の隙間を少なくさせることができるという効果もある。
【図面の簡単な説明】
【図１】本発明に係る水路用側壁ユニットの斜視図。
【図２】同一部の拡大断面図。
【図３】同平面図。
【図４】同使用状態を示す断面図。
【図５】同接続状態を示す側面図。
【符号の説明】
１                枕部材
２                横木
２ａ              上下の横木
２ｂ              中間の横木
８                固定ボルト
９                ナット
１１              土留め壁
１１ａ            一方の土留め壁
１１ｂ            他方の土留め壁
Ａ                水路用側壁ユニット
【図１】
2004197374.tif 000003
【図２】
2004197374.tif 000004
【図３】
2004197374.tif 000005
【図４】
2004197374.tif 000006
【図５】
2004197374.tif 000007